(57)【要約】      （修正有）【課題】カッターの移動範囲を超えて調整しようとしても部材の破損の恐れを低下できる氷切削装置を提供する。【解決手段】かき氷器に用いられる氷切削装置１であって、氷を切削するカッター６０と、カッターを氷表面に対して傾斜した傾斜方向に移動させて、氷に対するカッターの突出量を調整するカッター移動機構と、突出量を調整するための操作ダイヤル３０と、カッターの移動範囲を制限する移動制限手段と、を備え、操作ダイヤルによる操作によりカッターが移動範囲を超えようとしたときに、操作ダイヤルによる操作力がカッターに伝達しないように、カッター移動機構にクラッチを設けたことを特徴とする。【選択図】図４Ａ
0003234657.tif 000002
【実用新案登録請求の範囲】
【請求項１】
かき氷器に用いられる氷切削装置であって、
氷を切削するカッターと、
カッターを氷表面に対して傾斜した傾斜方向に移動させて、氷に対するカッターの突出量を調整するカッター移動機構と、
前記突出量を調整するための操作部と、
カッターの移動範囲を制限する移動制限手段と、を備え、
前記操作部による操作によりカッターが前記移動範囲を超えようとしたときに、前記操作部による操作力がカッターに伝達しないように、前記カッター移動機構にクラッチを設けたことを特徴とする氷切削装置。
【請求項２】
前記操作部は回転軸が第１方向に設定された回転式のダイヤルであり、
前記カッター移動機構は、前記操作部による第１回転力を前記傾斜方向に沿った回転軸周りの第２回転力に変換する第１変換部と、
前記第２回転力を前記傾斜方向に沿った直線移動に変換する第２変換部と、を備えたことを特徴とする請求項１に記載の氷切削装置。
【請求項３】
前記クラッチは、前記操作部と前記第１変換部の間に設けられていることを特徴とする請求項２に記載の氷切削装置。
【請求項４】
前記クラッチは、第１係合部を備えた第１クラッチ部材と、第２係合部を備えた第２クラッチ部材と、第１クラッチ部材と第２クラッチ部材を係合方向に付勢する付勢手段と、を備えており、
前記操作部による操作によりカッターが前記移動範囲を超えようとしたときに、第１クラッチ部材と第２クラッチ部材の係合状態が解除されることを特徴とする請求項１〜３のいずれか１項に記載の氷切削装置。
【請求項５】
前記第１クラッチ部材は、前記操作部と一体形成されていることを特徴とする請求項４に記載の氷切削装置。
【請求項６】
前記第１変換部と前記第２変換部は、共通のホルダーにより支持されることを特徴とする請求項２又は３に記載の氷切削装置。
【考案の詳細な説明】
【技術分野】
【０００１】
本考案は、かき氷器に用いられる氷切削装置に関する。
【背景技術】
【０００２】
かかる氷切削装置として、下記特許文献１に開示される氷削器がある。この氷削器は削り刃の突出量を調整する機構を備えており、操作ダイヤルを回転させるとスクリューが一体回転し、スクリュー軸に沿って削り刃が移動できるようになっている。また、スクリューを固定するためのナットがスクリューに螺合されており、ナットが台座に当接すると、これ以上の操作ができないように構成されている。削り刃の突出量を変えることで、切削される氷の大きさを調整することができる。
【先行技術文献】
【特許文献】
【０００３】
【特許文献１】実用新案登録第３２０３２６９号
【考案の概要】
【考案が解決しようとする課題】
【０００４】
しかしながら、ナットが台座に当接した状態から操作ダイヤルを更に回転させようとすると、大きな力が台座やスクリューその他の部材にかかり、破損する恐れがある。
【０００５】
本考案は上記実情に鑑みてなされたものであり、その課題は、カッターの移動範囲を超えて調整しようとしても部材の破損の恐れを低下できる氷切削装置を提供することである。
【課題を解決するための手段】
【０００６】
上記課題を解決するため本考案に係る氷切削装置は、かき氷器に用いられる氷切削装置であって、
氷を切削するカッターと、
カッターを氷表面に対して傾斜した傾斜方向に移動させて、氷に対するカッターの突出量を調整するカッター移動機構と、
前記突出量を調整するための操作部と、
カッターの移動範囲を制限する移動制限手段と、を備え、
前記操作部による操作によりカッターが前記移動範囲を超えようとしたときに、前記操作部による操作力がカッターに伝達しないように、前記カッター移動機構にクラッチを設けたことを特徴とするものである。
【０００７】
かかる構成による氷切削装置の作用・効果を説明する。この氷切削装置は、カッターの突出量を調整するカッター移動機構が設けられている。操作部を操作することで、カッターを移動させてカッターの突出量を調整している。また、カッターの移動範囲を制限するために移動制限手段が設けられている。操作部を操作して、移動範囲を超えてカッターを移動させようとすると、カッター移動機構に設けられたクラッチが作用し、操作力がカッターに伝達しないようにしている。これにより、無理な力をクラッチにより逃がすことで、カッター移動機構に設けられた部材の破損を防止することができる。
【０００８】
本考案において、前記操作部は回転軸が第１方向に設定された回転式のダイヤルであり、
前記カッター移動機構は、前記操作部による第１回転力を前記傾斜方向に沿った回転軸周りの第２回転力に変換する第１変換部と、
前記第２回転力を前記傾斜方向に沿った直線移動に変換する第２変換部と、を備えたことが好ましい。
【０００９】
かかる構成によると、回転式のダイヤルの回転軸をカッターの移動方向（傾斜方向）とは異なる方向に設定することができる。例えば、水平方向に設定することができ、操作部の回転操作が行いやすくなる。
【００１０】
本考案に係る前記クラッチは、前記操作部と前記第１変換部の間に設けられていることが好ましい。
【００１１】
クラッチを設ける場所としては、操作部の近くに配置することで、クラッチが動作するときに動く部分が少なくなる。
【００１２】
本考案に係る前記クラッチは、第１係合部を備えた第１クラッチ部材と、第２係合部を備えた第２クラッチ部材と、第１クラッチ部材と第２クラッチ部材を係合方向に付勢する付勢手段と、を備えており、
前記操作部による操作によりカッターが前記移動範囲を超えようとしたときに、第１クラッチ部材と第２クラッチ部材の係合状態が解除されることが好ましい。
【００１３】
この構成によると、通常の操作時には、クラッチが係合状態であるので、操作部による操作力がカッターに伝達する。また、カッターが前記移動範囲を超えようとしたときにクラッチの係合状態が解除されるので、操作部を操作してもカッターは移動しない。これにより、カッター移動機構を構成する部材の破損を防止することができる。
【００１４】
本考案に係る前記第１クラッチ部材は、前記操作部と一体形成されていることが好ましい。これにより、クラッチを構成する部材を削減することができる。
【００１５】
本考案において、前記第１変換部と前記第２変換部は、共通のホルダーにより支持されることが好ましい。これにより、ホルダーを共用することができ部品点数の削減に寄与することができる。
【図面の簡単な説明】
【００１６】
【図１】かき氷器の外観を示す側面図
【図２】かき氷器の正面図
【図３】氷切削装置の側面図
【図４Ａ】氷切削装置の縦断面図
【図４Ｂ】氷切削装置の主要部分を示す断面図
【図４Ｃ】氷切削装置の主要部分を示す断面図
【図５】氷切削装置を下方から見た外観斜視図
【図６】図３の矢視Ａ
【図７】カッター移動機構の詳細を示す部分的な分解斜視図
【図８】カッター移動機構の詳細を示す部分的な分解斜視図
【図９Ａ】第１クラッチ部材（操作ダイヤル）の構成を示す斜視図
【図９Ｂ】第１クラッチ部材（操作ダイヤル）の構成を示す平面図
【図９Ｃ】第１クラッチ部材（操作ダイヤル）の構成を示す断面図
【図１０Ａ】第２クラッチ部材の構成を示す斜視図
【図１０Ｂ】第２クラッチ部材の構成を示す平面図
【図１０Ｃ】第２クラッチ部材の構成を示す側面図
【考案を実施するための形態】
【００１７】
本考案に係る氷切削装置の好適な実施形態を図面を用いて説明する。図１は、かき氷器の外観を示す側面図である。図２は、かき氷器の正面図である。図３は、氷切削装置の側面図である。図４Ａは、氷切削装置の縦断面図である。図４Ｂ及び図４Ｃは、氷切削装置の主要部分を示す断面図である。図５及び図６は、氷切削装置を下方から見た外観斜視図である。特に図６は、図３の矢視Ａである。
【００１８】
図１に示すように、かき氷器は下本体部１００と上本体部２００を備えている。下本体部１００の下部にはかき氷を入れるカップ等の容器を置くための載置部１０１が設けられ、容器を置くための空間が形成されている。上本体部２００の内部には、円筒形の氷を上から押さえ付ける機構と、氷を回転させるためのモーター等の駆動機構が設けられている。これらの機構は、周知の機構であり説明は省略する。上本体部２００の上面２０１には、モーターの起動停止を行うための操作ボタン等が配置されている。また、電源コード２０２が設けられている。下本体部２００には、本考案に係る氷切削装置１が取り付けられている。
【００１９】
氷切削装置１には、氷を切削するためのカッターが設けられており、カッターの先端を氷の下面に当接させつつ氷を回転させることで、かき氷を生成することができる。また、カッターの先端の突出量を大きくすると切削された氷は粗くなり、突出量を小さくすると氷は細かくなる。従って、好みに応じて切削される氷の大きさを調整（選択）することができる。
【００２０】
図４Ａに示すように、氷切削装置１は、カップ状に形成された氷収容部２の下面に取り付けられる。氷収容部２の中には更にインナーリング７が設けられており取り外し自在である。インナーリング７は筒体部７０とフランジ７１が設けられており、フランジ７１が氷収容部２の上端面の上に載置される形で取り付けられる。
【００２１】
図７及び図８は、カッター移動機構の詳細を示す部分的な分解斜視図である。氷切削装置１は、操作部としての操作ダイヤル３０を備えている。操作ダイヤル３０を回転操作することでカッター移動機構を操作してカッターの突出量を調整することができる。図４Ａ，図７等にも示すように、操作ダイヤル３０の中心軸には操作軸３５が設けられ、この操作軸３５に沿って、コイルスプリング３１、第１クラッチ部材３２、第２クラッチ部材３３、第１傘歯車３４が配置されている。コイルスプリング３１、第１クラッチ部材３２、第２クラッチ部材３３によりクラッチを構成する。クラッチが作動しないときは、これらの部材は一体的に回転する。
【００２２】
なお、本実施形態において、操作ダイヤル３０と第１クラッチ部材３２は一体形成された１つの部品として形成されている。クラッチが作動するときは、操作ダイヤル３０と第１クラッチ部材３２のみが回転し、他の部材は回転しない。従って、クラッチが作動するときは、操作ダイヤル３０を回転してもカッターは移動しないようになっている。
【００２３】
操作軸３５は、大径の頭部３５ａと小径で長手方向に延びる軸部３５ｂと、第１粗面３５ｃ、第２粗面３５ｄにより形成されている。操作軸３５と第２クラッチ部材３３と第１傘歯車３４は常に一体的に回転する。そのため、第２クラッチ部材３３が嵌合（圧入）される位置に第１粗面３５ｃが形成され、第１傘歯車３４が嵌合（圧入）される位置に第２粗面３５ｄが形成され、これらの部材を強固に結合している。操作軸３５は、水平方向に設定されている。従って、操作ダイヤル３０もかき氷器の真正面に位置することになるので、操作ダイヤル３０を操作しやすくなる。
【００２４】
操作ダイヤル３０の外側の側面には手で操作しやすいようにローレットが刻まれている。また、図４Ａに示すように、内部に凹部３０ａが形成されており、操作軸３５の頭部３５ａとコイルスプリング３１が収容されている。このコイルスプリング３１は、第１クラッチ部材３２と第２クラッチ部材３３を係合方向に付勢する付勢手段として機能する。
【００２５】
図４Ａ及び図８により、残りのカッター移動機構の構成を説明する。カッター６０を移動させるために第２傘歯車４０、ナット４１、カッター調整軸４２が設けられている。カッター６０の先端６０ａは鋭角に形成されており、氷の表面に直接当接して氷を切削する。
【００２６】
第２傘歯車４０は、第１傘歯車３４と噛合っている。これにより、操作ダイヤル３０による第１回転力をカッター６０の移動方向に沿った軸周りの第２回転力に変換する。従って、第１傘歯車３４と第２傘歯車４０は、第１変換部に相当する。
【００２７】
カッター６０は平板状に形成されており、係合凹部６０ｂと２カ所の長穴６０ｃを有している。カッター調整軸４２は、長手方向に沿って延びる軸部４２ａと、小径の首部４２ｃと、軸部４２ａと同径の係合頭部４２ｄが形成されている。係合頭部４２ｄがカッター６０の係合凹部６０ｂに係合し、カッター調整軸４２ｄが直線移動すると、これに連動してカッター６０も直線移動する。
【００２８】
図４Ｃ等にも示すように、カッター６０は傾斜方向（図の矢印Ｘ方向）に移動する。図４Ｂは、カッター６０の突出量が小さい状態を示し、図４Ｃは、カッター６０の突出量が大きい状態を示す。カッター調整軸４２は、この傾斜方向に沿って配置される。また、カッター調整軸４２の軸部４２ａの首部４２ｃに近い位置に雄ねじ４２ｂが形成されている。この雄ねじ４２ｂはナット４１と螺合した状態で組み込まれる。
【００２９】
以上の構成によると、第２傘歯車４０が回転してカッター調整軸４２が回転すると、固定されたナット４１に螺合されているので、カッター調整軸４２が傾斜方向Ｘに直線移動する。これにより、カッターが連動して移動し、突出量が調整される。すなわち、カッター調整軸４２の雄ねじ４２ｂとナット４１は、第２傘歯車４０の第２回転力を傾斜方向に沿った直線移動に変換する第２変換部に相当する。
【００３０】
カッター移動機構を構成する部材を取り付け支持するためのホルダー５０が設けられている。ホルダー５０は第１ホルダー部５１と第２ホルダー部５２を備えている。第１ホルダー部５１は、操作軸３５を軸支する軸受としての機能があり、第１傘歯車３４が収容される（図４Ｂ参照）。
【００３１】
図８に示すように、カッター６０の裏面側には金属製のカッター押え板６１が設けられる。カッター押え板６１には、切欠６１ｂが形成され、ちょうどこの位置にカッター調整軸４２の係合頭部４２ｄが位置する。また、カッター押え板６１には取り付け用の穴６１ａが２カ所形成される。
【００３２】
また、カッター６０の表面側にはカッターカバー６２が設けられる。カッターカバー６２は金属製であり平板状に形成されたカバー部６２ａとカバー部６２ａに形成された穴部６２ｂとカバー部６２ａに対して直角に折り曲げられた折り曲げ部６２ｃを有する。また、カバー部６２ａには取り付け用の穴６２ｄが２カ所形成されている。
【００３３】
ホルダー５０、カッター押え板６１、カッター６０、カッターカバー６２は、２つのねじ６３により氷収容部２の裏面２０に形成された取り付け座２５に対して取り付けられる。取り付け座２５の面は、カッター６０の移動方向に対応した斜面となっている。ホルダー５０にはボス５３が２カ所形成されており、ここにカッター押え板６１の穴６１ａとカッター６０の長穴６０ｃが挿入される。カッター押え板６１とカッターカバー６２は取り付けられた状態で移動は不可能である。一方、カッター６０には長穴６０ｃが形成されており、その分、ボス５３に対して摺動可能である。この長穴６０ｃの長さにより、カッター６０の移動範囲が規制されることになる。従って、カッター６０の長穴６０ｃとホルダー５０のボス５３は、カッターの移動範囲を制限する移動制限手段として機能する。
【００３４】
ホルダー５０にはナット収容部５４が形成されており、ナット４１が収容される（図４Ｂ等参照）。これにより、ナット４１は移動できないように固定される。また、カッター調整軸４２の端部は、カッターカバー６２の折り曲げ部６２ｃに形成された穴により回転可能に軸支される。
【００３５】
ホルダー５０の第２ホルダー部５２の周囲には立壁５５が形成されており、この立壁５５の上にカッターカバー６２を載せたときに内部にカッター６０等の部材等を収納する空間が形成される。立壁５５の上には位置決め突起５５ａが２カ所形成され、これに対応してカッターカバー６２には位置決め穴６２ｅが２カ所形成される。これにより、カッターカバー６２を位置決めした状態でホルダー５０に対してネジ６３で取り付けることができる。
【００３６】
氷収容部２の下面の周囲には立壁２１が形成されており、この部分が下本体部１００の所定の箇所にはめ込まれて取り付けられる。また、取り付け座２５の近くに矩形の穴２４が形成され、ここからカッター６０の先端６０ａが氷の表面に対して臨むことになる。また、穴２４の近傍に立壁２３が形成されており、切削された氷が飛び散らないようにしている。
【００３７】
また、第１傘歯車３４の取り付け位置の両側に取り付け穴２６が２カ所形成される。この取り付け穴２６に対応して、ホルダー５０の第１ホルダー部５１の近傍に取り付け部５６が２カ所形成される。不図示のねじにより氷収容部２の内側から取り付け部５６が氷収容部２の下面に固定される。
【００３８】
＜クラッチの構成＞
図９、図１０は、クラッチを構成する第１クラッチ部材３２（操作ダイヤル３０）、第２クラッチ部材３３の構成を示す図である。
【００３９】
図９に示すように、第１クラッチ部材３２は円筒部３２ａと歯部３２ｂ（第１係合部に相当）と軸穴３２ｃが一体形成されている。軸穴３２ｃには操作軸３５が嵌入される。歯部３２ｂは、周方向に沿って山と谷が交互に形成されている。山と谷の個数はクラッチの強度などを考慮して適宜決めることができる。また、山の高さ（谷の深さ）や形状も適宜決めることができるが、クラッチが作動しやすいように傾斜面を有するように形成される。
【００４０】
操作ダイヤル３０に形成された凹部３０ａに操作軸３５の頭部３５ａが挿入されており、頭部３５ａの裏面と凹部３０ａの底面の間にコイルスプリング３１が挿入されている（図４Ａ参照）。
【００４１】
第２クラッチ部材３３は、円筒部３３ａと歯部３３ｂ（第２係合部に相当）と軸穴３３ｃが一体形成されている。軸穴３３ｃには操作軸３５が挿入される。歯部３３ｂの形状は第１クラッチ部材３２の歯部３２ｂと係合するように同じ形状を有している。コイルスプリング３１の作用により、第１クラッチ部材３２の歯部３２ｂと第２クラッチ部材３３の歯部３３ｂが係合する方向に付勢されており、これにより、通常は操作ダイヤル３０を回転操作することで、第１クラッチ部材３２と第２クラッチ部材３３は係合したまま一体回転し、回転力がカッター６０の方向へ伝達される。
【００４２】
＜カッターの調整動作＞
次に、カッター６０の歯の突出量の調整動作を説明する。調整を行うためには、操作ダイヤル３０を回転操作すればよい。操作ダイヤル３０を時計方向に回転させると、カッター６０の突出量が小さくなり細かな氷を切削することができる。操作ダイヤル３０を反時計方向に回転させると、カッター６０の突出量が大きくなり粗い氷を切削することができる。好みに応じて操作ダイヤル３０により調整することができる。
【００４３】
操作ダイヤル３０を回転させると、その第１回転力はクラッチを介して第１傘歯車３４に伝達する。第１傘歯車３４の回転は第２傘歯車４０に伝達され方向転換された第２回転力となる。第２傘歯車４０の回転によりカッター調整軸４２も回転する。カッター調整軸４２の雄ねじ４２ｂは固定されたナット４１に螺合している。そのためカッター調整軸４２は回転しながら直線移動（図４ＣのＸ方向）する。これにより、カッター調整軸４２と連結したカッター６０も同じ方向に直線移動する。その結果、カッター６０の突出量を調整できる。
【００４４】
また、カッター６０の長穴６０ｃはボス５３にガイドされながら移動するが、長穴６０ｃの端面にボス５３が当接することで、これ以上カッター６０は移動できなくなる。このようにカッター６０が移動できなくなった状態で更に操作ダイヤル３０を回転させようとすると前述のクラッチが作動する。
【００４５】
具体的には、操作ダイヤル３０に一体形成された第１クラッチ部材３２の歯部３２ｂが第２クラッチ部材３３の歯部３３を乗り越える。コイルスプリング３１の付勢力に抗して第１クラッチ部材３２が第２クラッチ部材３３を乗り越えるので操作ダイヤル３０は空回りすることになる。これにより、操作ダイヤル３０の回転力はカッター６０に伝達されることはなく、操作ダイヤル３０よりも下流側に存在する部材は動かない。これにより、カッター移動機構を構成する部材に無理な力が作用することを抑制して破損を防止することができる。
【００４６】
＜別実施形態＞
本実施形態では、操作ダイヤル３０と第１クラッチ部材３２が一体形成されているが、それぞれを別部材で構成して両者を結合してもよい。
【符号の説明】
【００４７】
１        氷切削装置
２        氷収容部
３０      操作ダイヤル
３１      コイルスプリング
３２      第１クラッチ部材
３２ｂ    歯部
３３      第２クラッチ部材
３３ｂ    歯部
３４      第１傘歯車
３５      操作軸
３５ａ    軸部
４０      第２傘歯車
４１      ナット
４２      カッター調整軸
４２ａ    軸部
４２ｂ    雄ねじ
５０      ホルダー
５１      第１ホルダー部
５２      第２ホルダー部
５３      ボス
６０      カッター
６０ａ    先端
６０ｃ    長穴
６１      カッター押え板
６２      カッターカバー
【図１】
0003234657.tif 000003
【図２】
0003234657.tif 000004
【図３】
0003234657.tif 000005
【図４Ａ】
0003234657.tif 000006
【図４Ｂ】
0003234657.tif 000007
【図４Ｃ】
0003234657.tif 000008
【図５】
0003234657.tif 000009
【図６】
0003234657.tif 000010
【図７】
0003234657.tif 000011
【図８】
0003234657.tif 000012
【図９Ａ】
0003234657.tif 000013
【図９Ｂ】
0003234657.tif 000014
【図９Ｃ】
0003234657.tif 000015
【図１０Ａ】
0003234657.tif 000016
【図１０Ｂ】
0003234657.tif 000017
【図１０Ｃ】
0003234657.tif 000018